(57)【要約】【課題】片流れ型屋根の棟出隅部への出隅化粧カバーの取付作業を容易にする。【解決手段】片流れ型屋根１の棟出隅部２に取り付けられる出隅化粧カバー１０は、棟出隅部２における棟側下部とケラバ側下部とを覆う下部化粧カバー１４と、棟出隅部２における棟側上部とケラバ側上部とを覆う上部化粧カバー１６と、を備える。【選択図】図５
2019127792.tif 000002
【特許請求の範囲】
【請求項１】
片流れ型屋根の棟出隅部に取り付けられる出隅化粧カバーであって、
前記棟出隅部における棟側下部とケラバ側下部とを覆う下部化粧カバーと、
前記棟出隅部における棟側上部とケラバ側上部とを覆う上部化粧カバーと、を備える、
出隅化粧カバー。
【請求項２】
前記下部化粧カバーは前記棟出隅部の下面を覆う底板部を有して上方に開放しており、
前記上部化粧カバーは前記棟出隅部の上面を覆う天板部を有して下方に開放している、請求項１に記載の出隅化粧カバー。
【請求項３】
前記下部化粧カバーにおいて、前記棟側下部を覆う側壁には前記屋根の棟方向に沿って延びる凹溝が形成されるとともに前記ケラバ側下部を覆う側壁にはケラバ方向に沿って延びる凹溝が形成されており、
前記上部化粧カバーにおいて前記棟側上部を覆う側壁および前記ケラバ側上部を覆う側壁は平面状に形成されている、請求項１または２に記載の出隅化粧カバー。
【請求項４】
前記凹溝の底部には、前記下部化粧カバーを固定するねじが挿通される貫通孔が形成されている、請求項３に記載の出隅化粧カバー。
【請求項５】
前記下部化粧カバーは前記凹溝に形成された貫通孔に挿通されたねじによって固定され、前記上部化粧カバーはその下端縁部に形成された貫通孔と前記下部化粧カバーの上端縁部とを貫通したねじによって前記下部化粧カバーと共に固定される、請求項４に記載の出隅化粧カバー。
【発明の詳細な説明】
【技術分野】
【０００１】
本開示は、片流れ型屋根の棟出隅部に取り付けられる出隅化粧カバーに関する。
【背景技術】
【０００２】
従来、片流れ型の屋根の棟出隅部に出隅化粧カバーを配置することが記載されている（例えば、特許文献１参照）。このような出隅化粧カバーは、例えば、図８および図９に示すように取り付けられる。
【０００３】
図８に示すように、出隅化粧カバー７０は、上面視で略Ｌ字状をなす部材である。出隅化粧カバー７０は、例えばアルミ板等の金属板によって一体に形成されている。
【０００４】
出隅化粧カバー７０は、片流れ型の屋根１の棟出隅部２において、棟側端部３を覆う棟側カバー部７２と、ケラバ側端部４を覆うケラバ側カバー部７４とを一体に備えている。棟側カバー部７２は、矢印Ａ方向からの側方視で略コ字状に折れ曲がった底部７２ａと、底部７２ａから屈曲して上方に延在する側壁７２ｂと、側壁７２ｂから略直角に延在する上部７２ｃとを含む。棟側カバー部７２の上部７２ｃは、矢印Ａ方向からの側方視で略コ字状に折れ曲がっている。
【０００５】
出隅化粧カバー７０のケラバ側カバー部７４は、矢印Ｂ方向からの側方視で略コ字状に折れ曲がった底部７４ａと、底部７４ａから屈曲して上方に延在する側壁７４ｂと、側壁７４ｂから略直角に延在する上部７４ｃとを含む。ケラバ側カバー部７４の上部７４ｃは、矢印Ｂ方向からの側方視で略コ字状に折れ曲がっている。
【０００６】
出隅化粧カバー７０は、次のようにして取り付けられる。まず、図８中に破線で示すように、出隅化粧カバー７０の棟側カバー部７２およびケラバ側カバー部７４の内面に、シーリング剤７６をそれぞれ塗布する。そして、出隅化粧カバー７０を矢印Ｃ方向に移動させて、ケラバ側カバー部７４を棟出隅部２のケラバ側端部４を構成するケラバ破風板５に被せるように挿入する。
【０００７】
このとき、棟側カバー部７２の上部７２ｃが棟端部の上面に固定された２本の笠木を乗り越えるように、手等で引っ張り上げた状態で矢印Ｃ方向に移動させる。そして、図９に示すように、出隅化粧カバー７０が棟出隅部２に組み付けられた後、例えばドリルネジ９を用いて出隅化粧カバー７０の棟側カバー部７２を笠木６（図８参照）に固定する。このとき、棟側化粧カバー部７２は、その内側に位置する棟包み化粧部材７の端部と重ねた状態でドリルネジ９によって一緒に固定されるのが好ましい。
【０００８】
また、出隅化粧カバー７０のケラバ側カバー部７４についても、図示しないドリルネジを用いてケラバ破風板５に固定する。このときもまた、ケラバ側カバー部７４は、その内側に位置するケラバ化粧部材８の端部と重ねた状態でドリルネジによって一緒に固定されるのが好ましい。このようにして出隅化粧カバー７０が屋根１の棟出隅部２に固定される。
【先行技術文献】
【特許文献】
【０００９】
【特許文献１】特開２０１７−１１５３５４号公報
【発明の概要】
【発明が解決しようとする課題】
【００１０】
上記のようにして出隅化粧カバー７０を取り付ける場合、出隅化粧カバー７０を矢印Ｃ方向に挿入するときに棟側カバー部７２の上部７２ｃの内側壁部が笠木６に引っ掛かる。そのため、棟側カバー部７２の上部７２ｃを上側に広げるようにして笠木６を乗り越えさせる必要がある。このようにして出隅化粧カバー７０を組み付ける作業は容易でなく、熟練を要するものであった。
【００１１】
本開示の目的は、片流れ型屋根の棟出隅部への取付作業を容易に行うことができる出隅化粧カバーを提供することにある。
【課題を解決するための手段】
【００１２】
本開示に係る出隅化粧カバーは、片流れ型屋根の棟出隅部に取り付けられる出隅化粧カバーであって、棟出隅部における棟側下部とケラバ側下部とを覆う下部化粧カバーと、棟出隅部における棟側上部とケラバ側上部とを覆う上部化粧カバーと、を備える。
【発明の効果】
【００１３】
本開示に係る出隅化粧カバーによれば、片流れ型屋根の棟出隅部への取付作業を容易に行うことができる。
【図面の簡単な説明】
【００１４】
【図１】本開示の一実施形態である出隅化粧カバーが取り付けられる片流れ型の屋根を有する家屋を示す図である。
【図２】下部化粧カバーを棟出隅部に下方から組み付ける様子を示す図である。
【図３】下部化粧カバーを棟出隅部に組み付けた状態を示す図である。
【図４】図３に示した下部化粧カバーの（ａ）ケラバ側の側面図と、（ｂ）軒側の側面図である。
【図５】上部化粧カバーを棟出隅部に上方から組み付ける様子を示す図である。
【図６】上部化粧カバーを棟出隅部に組み付けた状態を示す図である。
【図７】図６に示した上部化粧カバーおよび下部化粧カバーの（ａ）ケラバ側の側面図と、（ｂ）軒側の側面図である。
【図８】従来例の出隅化粧カバーが棟出隅部に取り付けられる様子を説明するための図である。
【図９】従来例の出隅化粧カバーが棟出隅部に取り付けられた状態を示す図である。
【発明を実施するための形態】
【００１５】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１６】
図１は、本開示の一実施形態である出隅化粧カバー１０が取り付けられる片流れ型の屋根１を有する家屋Ｈを示す図である。家屋Ｈの屋根１は、棟から軒に一方向に下り傾斜した片流れ型の屋根である。屋根１を覆って敷設される屋根材は、金属屋根材、スレート材、瓦等で構成することができる。
【００１７】
屋根１において、棟側端部には棟包み化粧部材７が取り付けられており、軒側端部には軒包み化粧部材１１が取り付けられている。また、屋根１において妻側のケラバには、一対のケラバ化粧部材８が取り付けられている。さらに、屋根１において棟とケラバの交差部である棟出隅部２には、一対の出隅化粧カバー１０が取り付けられている。出隅化粧カバー１０が本開示における出隅化粧カバーに相当する。
【００１８】
軒とケラバの交差部である軒出隅部にも、軒出隅化粧カバー１２が取り付けられている。軒出隅化粧カバー１２は、出隅化粧カバー１０と同じ構成を有してもよいし、異なる構成であってもよい。なお、以下において、屋根１の棟に沿った方向を棟方向といい、屋根１のケラバに沿った方向をケラバ方向といい、棟と軒との間で傾斜した屋根１に沿った方向を傾斜方向という。
【００１９】
次に、図２ないし図４を参照して屋根１の構成と、出隅化粧カバー１０の下側部分を構成する下部化粧カバー１４とについて説明する。その後に図５ないし図７を参照して出隅化粧カバー１０の上側部分を構成する上部化粧カバー１６について説明する。
【００２０】
図２に示すように、屋根１の表面は、屋根材２０によって覆われている。本実施形態では、屋根材２０は、例えば、金属屋根材で構成される。金属屋根材は、傾斜方向に延在する突条が棟方向に所定間隔で多数設けられている。
【００２１】
屋根１は、例えば、傾斜方向に延在する角形木材からなる垂木（図示せず）が棟方向に間隔をあけて多数設けられ、その上に合板（図示せず）が敷き詰められて例えば釘等によって固定されている。そして、合板の上に例えばアスファルトルーフィング等の防水シートを介して金属屋根材２０が敷設されている。
【００２２】
屋根１の棟側端部には、棟包み化粧部材７が取り付けられている。棟包み化粧部材７は、屋根１の棟側端部に固定されている棟下地板２１を覆って設けられている。棟下地板２１は、例えば、木製の板材であり、上下方向に沿って垂下した状態で配置されている。
【００２３】
棟包み化粧部材７は、例えば、アルミ板等の薄い金属板からなる長尺状の部材である。屋根１の棟には複数の棟包み化粧部材７が端部同士を重ねた状態で設けられているが、棟とケラバの交差部（または屋根１の棟側コーナー部）である棟出隅部２では棟下地板２１の端部が棟包み化粧部材７から突出して露出している。
【００２４】
棟包み化粧部材７は、棟下地板２１の下面を覆うように折れ曲がった下部７ａと、この下部から略直角に折れ曲がって上下方向に延在する側面７ｂと、この側面７ｂから略直角に折れ曲がった上部７ｃとを備える。棟包み化粧部材７の側面７ｂには、２本の凹溝７８が形成されている。２本の凹溝７８は、所定間隔で形成され、かつ、棟方向に沿って延在している。これらの凹溝７８に例えばドリルネジをねじ込むことによって、棟包み化粧部材７の側面７ｂが棟下地板２１に止め付けられている。
【００２５】
また、棟包み化粧部材７の上部７ｃの先端部は下方に略直角に折れ曲がっており、この先端部が金属屋根材２０上に棟方向に沿って固定されている棟側笠木６１に例えばドリルネジによって止め付けられている。このようにして棟包み化粧部材７が屋根１の棟側端部に固定されている。
【００２６】
屋根１のケラバ側端部は、ケラバ化粧部材８が取り付けられている。ケラバ化粧部材８は、屋根１のケラバ側端部に固定されているケラバ破風板２２を覆って設けられている。ケラバ破風板２２は、例えば、木製の板材であり、上下方向に沿って垂下した状態で配置されている。
【００２７】
ケラバ化粧部材８は、例えば、アルミ板等の薄い金属板からなる長尺状の部材である。屋根１のケラバには複数のケラバ化粧部材８が端部同士を重ねた状態で設けられているが、棟出隅部２ではケラバ破風板２２の端部がケラバ化粧部材８から突出して露出している。
【００２８】
ケラバ化粧部材８は、ケラバ破風板２２の下面を覆うように折れ曲がった下部８ａと、この下部から略直角に折れ曲がって上下方向に延在する側面８ｂと、この側面８ｂから略直角に折れ曲がった上部８ｃとを備える。ケラバ化粧部材８の側面８ｂには、２本の凹溝８２が形成されている。２本の凹溝８２は、所定間隔で形成され、かつ、ケラバ方向に沿って延在している。これらの凹溝８２の間隔は、棟包み化粧部材７の側面７ｂに形成された２本の凹溝７８と同じになっている。そして、これらの凹溝８２に例えばドリルネジをねじ込むことによって、ケラバ化粧部材８の側面８ｂがケラバ破風板２２に止め付けられている。
【００２９】
また、ケラバ化粧部材８の上部８ｃの先端部は下方に略直角に折れ曲がっており、この先端部が金属屋根材２０上にケラバ方向に沿って固定されたケラバ側笠木６２に例えばドリルネジによって止め付けられている。このようにしてケラバ化粧部材８が屋根１のケラバ側端部に固定されている。
【００３０】
本実施形態の出隅化粧カバー１０は、棟出隅部２における棟側下部とケラバ側下部とを覆う下部化粧カバー１４と、棟出隅部２における棟側上部とケラバ側上部とを覆う上部化粧カバー１６（図５参照）とを備える。
【００３１】
下部化粧カバー１４は、例えば、アルミ板等の金属板によって一体に形成されている。下部化粧カバー１４は、棟方向に延在する棟側壁３０と、ケラバ方向に延在するケラバ側壁３２とを一体に備える。下部化粧カバー１４は、棟側壁３０の下端縁部から略直角に折れ曲がった棟側底板部３４と、ケラバ側壁３２の下端縁部から略直角に折れ曲がったケラバ側底板部３６とを一体に有している。これに対し、棟側壁３０およびケラバ側壁３２の各上端縁部はＬ字状に折れ曲がった段部がそれぞれ形成されているだけである。これにより、下部化粧カバー１４は、上方に開放しているといえる。
【００３２】
また、下部化粧カバー１４において、棟側壁３０には棟方向に沿って延びる凹溝３１が形成され、ケラバ側壁３２にはケラバ方向に沿って延びる凹溝３３が形成されている。各凹溝３１，３３は、棟側壁３０とケラバ側壁３２の交差部である角部３８でつながっている。また、各凹溝３１，３３の底部には、ドリルネジを通すための貫通孔３７，３９がそれぞれ形成されている（図４（ａ），（ｂ）参照）。
【００３３】
出隅化粧カバー１０を取り付ける際、上記の構成を有する下部化粧カバー１４が棟出隅部２にまず取り付けられる。図２に示すように、下部化粧カバー１４は、下方から上方へ矢印Ｄ方向に移動されて棟出隅部２に組み付けられて、図３に示す状態となる。この状態で、棟側壁３０が棟出隅部２の棟側下部を覆っており、ケラバ側壁３２が棟出隅部２のケラバ側下部を覆っている。より詳しくは、棟側壁３０は棟出隅部２において棟下地板２１の端部の下部を覆っており、ケラバ側壁３２は棟出隅部２においてケラバ破風板２２の端部を覆っている。
【００３４】
この状態で、棟側壁３０の端部は棟包み化粧部材７の側面７ｂに重なって配置され、ケラバ側壁３２の端部はケラバ化粧部材８に重なって配置されている。また、この状態で棟側壁３０の凹溝３１は、棟包み化粧部材７の側面７ｂに形成された下側の凹溝７８にぴったりと嵌合し、ケラバ側壁３２の凹溝３３はケラバ化粧部材８の側面８ｂに形成された下側の凹溝８２にぴったりと嵌合している。また、この状態で、下部化粧カバー１４の上端縁部の段部は、棟包み化粧部材７の側面７ｂに形成された上側の凹溝７８およびケラバ化粧部材８の側面８ｂに形成された上側の凹溝８２に嵌合している。
【００３５】
なお、このようして組み付けられる前に下部化粧カバー１４において棟包み化粧部材７およびケラバ化粧部材８と重なる内面には、雨水等の浸入を防止するためのシーリング剤を塗布しておくのが好ましい。この点は、図８および図９を参照して説明した従来例の場合と同様である。
【００３６】
棟出隅部２の下部を覆うように組み付けられた後、下部化粧カバー１４は、図３に示すように、ドリルネジ４０によって固定される。図４は、図３に示した下部化粧カバー１４の（ａ）ケラバ側の側面図と、（ｂ）軒側の側面図である。
【００３７】
図４（ａ）に示すように、下部化粧カバー１４のケラバ側壁３２の凹溝３３の底部に形成された貫通孔３７にドリルネジ４０を挿通してケラバ破風板２２（図２参照）にねじ込む。また、図４（ｂ）に示すように、下部化粧カバー１４の棟側壁３０の凹溝３１の底部に形成された貫通孔３９にドリルネジ４０を挿通して棟下地板２１（図２参照）にねじ込む。これにより、下部化粧カバー１４が屋根１の棟出隅部２に固定される。このように凹溝３１，３３内にドリルネジ４０がねじ込まれることでネジ頭部が外部から見え難くなり、屋根１の意匠性が向上する。
【００３８】
上記のようにして下部化粧カバー１４を取り付けた後、上部化粧カバー１６を棟出隅部２に取り付ける。図５は、上部化粧カバー１６を棟出隅部２に上方から組み付ける様子を示す図である。図６は、上部化粧カバー１６を棟出隅部２に組み付けた状態を示す図である。図７は、図６に示した上部化粧カバー１６および下部化粧カバー１４の（ａ）ケラバ側の側面図と、（ｂ）軒側の側面図である。
【００３９】
出隅化粧カバー１０は、上述した下部化粧カバー１４に加えて、棟出隅部２における棟側上部とケラバ側上部とを覆う上部化粧カバー１６を備える。上部化粧カバー１６は、例えば、アルミ板等の金属板によって一体に形成されている。
【００４０】
上部化粧カバー１６は、棟方向に延在する棟側壁４２と、ケラバ方向に延在するケラバ側壁４４とを一体に備える。また、上部化粧カバー１６は、棟側壁４２およびケラバ側壁４４の各上端縁部から折れ曲がって形成される天板部４６を一体に備える。このように上部化粧カバー１６が天板部４６を有することで、棟出隅部２に取り付けられたときに棟出隅部２の上面を覆うように構成されている。また、天板部４６は、ケラバ側天板部分４６ａと棟側天板部４６ｂを一体に含み、ケラバ側天板部分４６ａが少し高くなるように形成されている。なお、上部化粧カバー１６は、底板を有しておらず、下方に開放している。
【００４１】
上部化粧カバー１６において、棟側壁４２およびケラバ側壁４４はいずれも平面状に形成され、凹溝が形成されていない。棟側壁４２の下端縁部は、略Ｌ字状に折れ曲がった段部４３に形成され、ケラバ側壁４４の下端縁部は略Ｌ字状に折れ曲がった段部４５に形成されている。これらの段部４３，４５は、上部化粧カバー１６が棟出隅部２に取り付けられたときに棟包み化粧部材７の上側の凹溝７８およびケラバ化粧部材８の上側の凹溝８２にそれぞれ嵌まり込む。また、これらの段部４３，４５は、下部化粧カバー１４の上端縁部に形成されている段部の上に重なって配置されるようになっている。また、これらの段部４３，４５には、図７（ａ），（ｂ）に示すように、ドリルネジ４０が挿通される貫通孔５０，５２がそれぞれ形成されている。
【００４２】
上記の構成からなる上部化粧カバー１６は、図５に示すように、下部化粧カバー１４が既に取り付けられている棟出隅部２の上方から矢印Ｅ方向に移動されて組み付けられる。この状態で、上部化粧カバー１６は、棟側壁４２および棟側天板部４６ｂが棟出隅部２の棟側上部を覆い、ケラバ側壁４４およびケラバ側天板部分４６ａが棟出隅部２のケラバ側上部を覆っている。また、このとき上部化粧カバー１６のケラバ側壁４４およびケラバ側天板部４６ａはケラバ化粧部材８の側面８ｂおよび上部８ｃに重なって接触した状態に配置される。また、このとき上部化粧カバー１６の棟側壁４２および棟側天板部４６ｂは棟包み化粧部材７の側面７ｂおよび上部７ｃに重なって接触した状態に配置される。
【００４３】
この状態で、図６に示すように、ドリルネジ４０をケラバ側壁４４の下端縁部の段部４５に形成された貫通孔５０に挿通してケラバ破風板２２（図２参照）にねじ込む。このとき、ドリルネジ４０は、下部化粧カバー１４のケラバ側壁３２の上端縁部の段部も貫通してねじ込まれる。したがって、上部化粧カバー１６のケラバ側壁４４は、下部化粧カバー１４のケラバ側壁３２と一緒に固定される。この固定の仕方を共付け固定ともいう。
【００４４】
また、上部化粧カバー１６の棟側壁４２についても同様に固定される。すなわち、ドリルネジ４０を棟側壁４２の下端縁部の段部４３に形成された貫通孔５２に挿通して棟下地板２１（図２参照）にねじ込む。このとき、ドリルネジ４０は、下部化粧カバー１４の棟側壁３０の上端縁部の段部も貫通してねじ込まれる。したがって、上部化粧カバー１６の棟側壁４２は、下部化粧カバー１４の棟側壁３０と一緒に固定される。
【００４５】
このようにして上部化粧カバー１６が棟出隅部２に取り付けられることで、出隅化粧カバー１０の取り付けが完了する。
【００４６】
なお、このようして組み付けられる前に上部化粧カバー１６において棟包み化粧部材７およびケラバ化粧部材８と重なる内面には、雨水等の浸入を防止するためのシーリング剤を塗布しておくのが好ましい。この点は、図８および図９を参照して説明した従来例の場合と同様である。
【００４７】
上述したように本実施形態の出隅化粧カバー１０は、片流れ型屋根１の棟出隅部２に取り付けられる。出隅化粧カバー１０は、棟出隅部２における棟側下部とケラバ側下部とを覆う下部化粧カバー１４と、棟出隅部２における棟側上部とケラバ側上部とを覆う上部化粧カバー１６と、を備える。このように出隅化粧カバー１０が上下に分割されていることで、従来例のように出隅化粧カバーが一体に形成されている場合に比べて、棟出隅部２への取付作業を容易に行うことができる。
【００４８】
また、本実施形態の出隅化粧カバー１０において、下部化粧カバー１４は棟出隅部２の下面を覆う底板部３４，３６を有して上方に開放しており、上部化粧カバー１６は棟出隅部２の上面を覆う天板部４６を有して下方に開放している。これにより、下部化粧カバー１４は下方から棟出隅部２に取り付けることができ、上部化粧カバー１６は上方から棟出隅部２に取り付けることができる。したがって、出隅化粧カバー１０の取付作業を容易にすることができる。
【００４９】
また、下部化粧カバー１４において、棟側下部を覆う側壁３０には屋根１の棟方向に沿って延びる凹溝３１が形成されるとともにケラバ側下部を覆う側壁３２にはケラバ方向に沿って延びる凹溝３３が形成されている。また、上部化粧カバー１６において棟側上部を覆う側壁４２およびケラバ側上部を覆う側壁４４は平面状に形成されている。このように上部化粧カバー１６の側壁４２，４４が平面状に形成されていることで、上部化粧カバー１６を組み付ける際に、棟出隅部２の内部構造に引っ掛かることなく容易に組み付けることができる。
【００５０】
また、本実施形態の出隅化粧カバー１０において、凹溝３１，３３の底部には、下部化粧カバー１４を固定するねじが挿通される貫通孔３７，３９が形成されている。このように凹溝３１，３３の底部にねじを挿通する貫通孔が形成されていることで、止め付けされたねじの頭部が外部から見え難くなり、出隅化粧カバー１０の意匠性が向上する。
【００５１】
さらに、本実施形態の出隅化粧カバー１０において、下部化粧カバー１４は凹溝３１，３３に形成された貫通孔３７，３９に挿通されたねじ４０によって固定され、上部化粧カバー１６はその下端縁部に形成された貫通孔５０，５２と下部化粧カバー１４の上端縁部とを貫通したねじ４０によって下部化粧カバー１４と共に固定される。これにより、上部化粧カバー１６および下部化粧カバー１４が一緒に固定されることで、棟出隅部２への出隅化粧カバー１０の取付状態をより確実なものにできる。
【００５２】
なお、本開示に係る出隅化粧カバーは、上述した実施形態および変形例に限定されるものではなく、本願の特許請求の範囲に記載された事項の範囲内で種々の変更や改良が可能であることはいうまでもない。
【符号の説明】
【００５３】
１  （片流れ型）屋根、２  棟出隅部、３  棟側端部、４  ケラバ側端部、５  ケラバ破風板、６  笠木、７  棟包み化粧部材、８  ケラバ化粧部材、９  ドリルネジ、１０  出隅化粧カバー、１１  軒包み化粧部材、１２  軒出隅化粧カバー、１４  下部化粧カバー、１６  上部化粧カバー、２０  金属屋根材、２１  棟下地板、２２  ケラバ破風板、３０  棟側壁、３１，３３  凹溝、３２，４４  ケラバ側壁、３４  棟側底板部、３６  ケラバ側底板部、３７，３９，５０，５２  貫通孔、３８，４８  角部、４０  ドリルネジ、４２  棟側壁、４３，４５  段部、４４  ケラバ側壁、４６  天板部、４６ａ  ケラバ側天板部分、４６ｂ  棟側天板部、６１  棟側笠木、６２  ケラバ側笠木。
【図１】
2019127792.tif 000003
【図２】
2019127792.tif 000004
【図３】
2019127792.tif 000005
【図４】
2019127792.tif 000006
【図５】
2019127792.tif 000007
【図６】
2019127792.tif 000008
【図７】
2019127792.tif 000009
【図８】
2019127792.tif 000010
【図９】
2019127792.tif 000011